(57)【要約】【課題】  保存用袋のリサイクルの確保と利便性、袋密封作業の省力化・効率化を図る。【解決手段】  全長に亘り弾撓的に雌雄係脱可能とした雄係合細長体９及び雌係合細長体１０の一対からなり、袋２１の端部の開口２２から所定の留め代２５を余らせた袋内方に位置し平坦にした封止部２３の全幅に対し気密封止のため着脱可能に挟み付ける袋密封クリップ２と、片方の掌で把持出来る大きさで軽量・硬質材からなる留め具本体３に、厚みｔ方向に貫通させて袋端部受け孔４、袋封止寄り部案内孔６、袋密封クリップ案内孔５及び袋封止寄り部案内溝７が略一線に揃い連通して穿設されて、封止部２３を含む袋２１の端部及び袋密封クリップ２に対して各孔、溝４、５、６、７を介して一端側から嵌め込み他端側にスライドさせ両係合細長体９、１０を雌雄係合して封止部２３を気密封止させるためとして用いるスライド留め具１とにより袋開口部の密封装置が構成される。【選択図】    図１
2005185817.tif 000002
【特許請求の範囲】
【請求項１】
相互間において全長に亘り弾撓的に雌雄係脱可能に構成した雄係合細長体（９）及び雌係合細長体（１０）の一対からなり、茶葉袋などの折畳み可能で広口の袋（２１）の端部における開口（２２）から所定の留め代（２５）を余らせた袋内方に位置して二層合わせに平たく閉ざした状態の封止部（２３）の全幅に対し気密封止のため着脱可能に挟み付けて用いる袋密封クリップ（２）と、
片方の掌で把持出来る大きさで軽量・硬質の材料から形成される立方形状の留め具本体（３）に、スライド方向（Ｓ）となる厚み（ｔ）方向に貫通させて袋端部受け孔（４）、袋封止寄り部案内孔（６）、袋密封クリップ案内孔（５）及び袋封止寄り部案内溝（７）が略一線に揃い連通して穿設されてなり、封止部（２３）を含む袋（２１）の端部及び前記袋密封クリップ（２）に対して前記各孔、溝（４）、（５）、（６）、（７）を介して一端側から嵌め込んで他端側にスライドさせて雄係合細長体（９）・雌係合細長体（１０）を雌雄係合し前記封止部（２３）を気密封止させるためとして用いるスライド留め具（１）とからなることを特徴とする袋開口部の密封装置。
【請求項２】
前記袋密封クリップ（２）は、合成樹脂製の雄係合細長体（９）及び雌係合細長体（１０）を前記封止部（２３）における幅代に比しその左右両外側に若干長の余裕代を持つ長さに相当する細長構造体に構成して、雄係合細長体（９）が、長手方向に延びる丸凸条部（１１）と該丸凸条部（１１）の両端部分から全長に亘り一体に耳状の対称配置に延びて突設される各平条片（１２）、（１２）とにより形成され、前記雌係合細長体（１０）が、前記雄係合細長体（９）に比し短くとも等長であり、前記丸凸条部（１１）に弾撥係脱可能となして長手方向に延びる丸凹条部（１３）と該丸凹条部（１３）の底両裾部分から全長に亘り一体に耳状の対称配置に延びて突設される各平条片（１４）、（１４）とにより形成されて、それら雄・雌両係合細長体（９）、（１０）を弾撥係脱可能に対向させかつ一端部を揃えてその端部の対向部分相互を局部的に弾撥係合するとともにヒンジ接合してなり、
前記スライド留め具（１）は、前記袋端部受け孔（４）が、前記袋（２１）の丸まらせた端部を受け容れるに十分な大きさの円形孔又は多角形孔で留め具本体（３）の央部に設けられ、前記袋密封クリップ案内孔（５）が、前記封止部（２３）を挟んで弾撥係合してなる状態の袋密封クリップ（２）を円滑に摺接しつつ介挿し得るに十分な大きさの方形孔で留め具本体（３）の下端面部と前記袋端部受け孔（４）の間に設けられ、前記袋封止寄り部案内孔（６）が、前記封止部（２３）寄りの二層袋部を案内するに十分な幅を有して袋端部受け孔（４）・袋密封クリップ案内孔（５）間に亘り設けられ、前記袋封止寄り部案内溝（７）が、袋封止寄り部案内孔（６）と略等幅を有して留め具本体（３）の下端面部に開口しかつ該下端面部と袋密封クリップ案内孔（５）の間に亘り設けられてなる請求項１に記載の袋開口部の密封装置。
【請求項３】
前記留め具本体（３）は対を成す前記雌雄係合細長体（９・１０）の雌雄係合を解除する係合解除手段（３０）を備え、上記係合解除手段（３０）は前記雌係合細長体（１０）の丸凹条部（１３）の外径よりも若干大きい離間寸法（Ｕ）に設定された一対の角状突起（３１・３１）から成り、上記角状突起（３１・３１）を前記雌・雄係合細長体（９）（１０）の一端より対向する前記平条片（１２）（１４）間に挿入してこじることにより、前記雄・雌係合細長体（９）（１０）の弾撥係合を解除するように構成したことを特徴とする請求項２に記載の袋開口部の密封装置。
【請求項４】
相互間において全長に亘り弾撓的に雌雄係脱可能に構成した雄係合細長体（９）及び雌係合細長体（１０）の一対からなり、茶葉袋などの折畳み可能で広口の袋（２１）の端部における開口（２２）から所定の留め代（２５）を余らせた袋内方に位置して二層合わせに平たく閉ざした状態の封止部（２３）の全幅に対し気密封止のため挟み付けかつ雌雄係合して用いる袋密封クリップ（２）であって、
両細長体（９）、（１０）は前記封止部（２３）における幅代に比しその左右両外側に若干長の余裕代を持つ長さに相当する細長構造体に構成されて、雄係合細長体（９）が、長手方向に延びる丸凸条部（１１）と該丸凸条部（１１）の両端部分から全長に亘り一体に耳状の対称配置に延びて突設される各平条片（１２）、（１２）により形成され、前記雌係合細長体（１０）が、前記雄係合細長体（９）に比し短くとも等長であり、前記丸凸条部（１１）に弾撥係脱可能となして長手方向に延びる丸凹条部（１３）と該丸凹条部（１３）の底両裾部分から全長に亘り一体に耳状の対称配置に延びて突設される各平条片（１４）、（１４）により形成され、
一方の細長体（９）又は（１０）が封止部（２３）における二層合わせの一側袋層の外面に雌雄係合面を該袋層外面に相対して密接するように袋幅方向に亘らせて接着されてなり、他方の細長体（１０）又は（９）が封止部（２３）に対し袋内方に離隔する位置の固定部（２８）における二層合わせの他側袋層の外面に雌雄係合面を該袋層外面に反対側に向くように袋幅方向に亘らせて接着されてなり、
袋（２１）における前記両細長体（９）、（１０）間の略中間個所の折り返し部（２７）で折り返しつつ両細長体（９）、（１０）を雌雄係合させることによって前記封止部（２３）を気密封止するように構成したことを特徴とする袋開口部の密封装置。
【請求項５】
封止部（２３）の両端部の谷折りされたマチ部分（２６）、（２６）間の二層合わせ部における何れか一方の側の袋層の内面に、該二層合わせ部と四層の前記マチ部分（２６）、（２６）との厚み差を補うための密封補助シート（１８）が密着されてなる請求項１から請求項４の何れかの項に記載の袋開口部の密封装置。
【発明の詳細な説明】
【技術分野】
【０００１】
本発明は、収容物品の品質保持用の保存袋など相当期間を通じ気密性が要求される広口の袋を長期間に亘って気密保持できる袋開口部の密封装置に関する。
【背景技術】
【０００２】
この種の袋の一例である茶葉保存用の袋は、全体としてガスバリヤ性を持つ折り畳みが可能で広口を持つ保存袋であって、アルミニウム膜のコーティング処理を施してなる製袋用薄紙（合成樹脂薄シート）を素材として、開口を頂部に備える縦置き用の袋体に形成されたものであり、例えば幅５００mm、奥行３３０mm、高さ４５０mmの大きさで反復使用可能となっている。
【０００３】
この保存袋は、荒茶約２０kgを袋内に収納して開口をクランプ具などの封止手段により開閉可能に封止するとともに、後述するように内部の空気を二酸化炭素ＣＯ2に強制置換する状態に保持して、倉庫などの保管場所に一時的に保蔵させる。なお、開口を開閉可能に封止させる封止手段としては、クランプ具による他に開口端部を数巻きに丸め込ませて粘着テープで係止する、また、袋口部を熱溶着でシールする等、尋常に行われる簡易な封止方法を採用することが可能であるが、品質保持を図らせる観点からガスバリヤ性を有する封止方法でなければならないのは勿論のこと、袋のリサイクル性を確保する上で袋に損傷を与えずにかつ気密性が低下することなく反復使用ができる構造の封止手段が望まれている。
【０００４】
従来の袋口封止手段としては、開閉式チャックを袋口部に取付けるものがある（例えば、特許文献１参照。）。同じくスライドファスナーを取付けるものがある（例えば、特許文献２参照）。特許文献１に開示の封止手段は、突条部と係合溝をそれぞれ有する一対の弾性可塑材よりなる係合部材を開放及び閉合するようにしたチャックで、係合溝の奥の部分に沿って収容した弾性材のパッキンを備えていて、このパッキンが両係合部材間の閉合時に前記突条部に押圧されてこれに密接するようにしたものである。
【０００５】
一方、特許文献２に示される封止手段は、コ字形状の一対の細長体の背部の外面に長手方向に沿う案内溝を、また、同背部の内面に両細長体の腹合わせ時に相互に噛合する長手方向に沿う鉤状の係合片を夫々一体に設けると共にこれ等とは別個に硬質合成樹脂材料を以って両細長体の横幅外寸を加算せる寸法と略同じ横幅内寸の逆Ｕ字状スライダーを構成し、このスライダーの両側壁の先端縁に突条を一体に設けると共に上記両細長体を腹合わせにし且つ突条を案内溝に夫々臨入せしめてスライダーを両細長体の上側に摺動自在に冠着し、更にスライダーの一方向への摺動時に一方の係合片を押下して同係合片に於ける鉤部の噛合を解消する楔状部と両細長体を外方に押出して同細長体をＶ字状に開き進むハート形片とをスライダーに柱を介して一体に設けてなるスライドファスナーになるものである。
【０００６】
【特許文献１】実公昭４８−３６００３号公報（実用新案登録請求の範囲、第１図〜第４図）
【特許文献２】実公昭５４−４０１６６号公報（実用新案登録請求の範囲、第１図、第２図）
【発明の開示】
【発明が解決しようとする課題】
【０００７】
上述する従来の袋口封止手段は、何れも袋と一体で袋口に取付けるものであるから、何れか一方が損傷を蒙ったりして本来の機能を失した場合には新しいものと取り替えねばならなくてコスト高、不経済であるし、リサイクルには不向きである。また、前者のチャックはパッキンが劣化すると使用できなくなる、一方、後者のスライドファスナーは気密性に劣るのも問題である。
【０００８】
このように従来の先行技術が袋のリサイクルに関して機能性、経済性の両面で不利がある点に着目して本発明は成されたものであって、従って本発明は保存袋などの袋のリサイクルの確保とその利便性を図ると共に、袋密封作業の省力化・効率化を併せて果たし得るようにすることを主要な目的とするものである。
【課題を解決するための手段】
【０００９】
しかして本発明は上記の目的を達成するべく、本発明に係る請求項１に記載の発明は、相互間において全長に亘り弾撓的に雌雄係脱可能に構成した雄係合細長体９及び雌係合細長体１０の一対からなり、茶葉袋などの折畳み可能で広口の袋２１の端部における開口２２から所定の留め代２５を余らせた袋内方に位置して二層合わせに平たく閉ざした状態の封止部２３の全幅に対し気密封止のため着脱可能に挟み付けて用いる袋密封クリップ２と、片方の掌で把持出来る大きさで軽量・硬質の材料から形成される立方形状の留め具本体３に、スライド方向Ｓとなる厚みｔ方向に貫通させて袋端部受け孔４、袋封止寄り部案内孔６、袋密封クリップ案内孔５及び袋封止寄り部案内溝７が略一線に揃いかつ連通して穿設されてなり、封止部２３を含む袋２１の端部及び前記袋密封クリップ２に対して前記各孔、溝４、５、６、７を介して一端側から嵌め込んで他端側にスライドさせて雄係合細長体９・雌係合細長体１０を雌雄係合し前記封止部２３を気密封止させるためとして用いるスライド留め具１とから構成してなることを特徴とする袋開口部の密封装置である。
【００１０】
また、本発明に係る請求項２に記載の発明は、前請求項１に記載の袋開口部の密封装置に関して、前記袋密封クリップ２は、合成樹脂製の雄係合細長体９及び雌係合細長体１０を前記封止部２３における幅代に比しその左右両外側に若干長の余裕代を持つ長さに相当する細長構造体に構成して、雄係合細長体９が、長手方向に延びる丸凸条部１１と該丸凸条部１１の両端部分から全長に亘り一体に耳状の対称配置に延びて突設される各平条片１２、１２とにより形成され、前記雌係合細長体１０が、前記雄係合細長体９に比し短くとも等長であり、前記丸凸条部１１に弾撥係脱可能となして長手方向に延びる丸凹条部１３と該丸凹条部１３の底両裾部分から全長に亘り一体に耳状の対称配置に延びて突設される各平条片１４、１４とにより形成されて、それら雄・雌両係合細長体９、１０を弾撥係脱可能に対向させかつ一端部を揃えてその端部の対向部分相互を局部的に弾撥係合するとともにヒンジ接合してなり、一方、前記スライド留め具１は、前記袋端部受け孔４が、前記袋２１の丸まらせた端部を受け容れるに十分な大きさの円形孔又は多角形孔で留め具本体３の央部に設けられ、前記袋密封クリップ案内孔５が、前記封止部２３を挟んで弾撥係合してなる状態の袋密封クリップ２を円滑に摺接しつつ介挿し得るに十分な大きさの方形孔で留め具本体３の下端面部と前記袋端部受け孔４の間に設けられ、前記袋封止寄り部案内孔６が、前記封止部２３寄りの二層袋部を案内するに十分な幅を有して袋端部受け孔４・袋密封クリップ案内孔５間に亘り設けられ、前記袋封止寄り部案内溝７が、袋封止寄り部案内孔６と略等幅を有して留め具本体３の下端面部に開口しかつ該下端面部と袋密封クリップ案内孔５の間に亘り設けられてなる構成としたことを特徴とする袋開口部の密封装置である。
【００１１】
更に、本発明に係る請求項３に記載の発明は、前請求項２に記載の袋開口部の密封装置に関して、前記留め具本体３が対を成す前記雌雄係合細長体９・１０の雌雄係合を解除する係合解除手段３０を備え、上記係合解除手段３は前記雌係合細長体１０の丸凹条部１３の外径よりも若干大きい離間寸法Ｕに設定された一対の角状突起３１・３１から成り、上記角状突起３１・３１を前記雌・雄係合細長体９・１０の一端より対向する前記平条片１２・１４間に挿入してこじることにより、前記雄・雌係合細長体９・１０の弾撥係合を解除するように構成したことを特徴とする。
【００１２】
また、本発明に係る請求項４に記載の発明は、相互間において全長に亘り弾撓的に雌雄係脱可能に構成した雄係合細長体９及び雌係合細長体１０の一対からなり、茶葉袋などの折畳み可能で広口の袋２１の端部における開口２２から所定の留め代２５を余らせた袋内方に位置して二層合わせに平たく閉ざした状態の封止部２３の全幅に対し気密封止のため挟み付けかつ雌雄係合して用いる袋密封クリップ２であって、両細長体９、１０は前記封止部２３における幅代に比しその左右両外側に若干長の余裕代を持つ長さに相当する細長構造体に構成されて、雄係合細長体９が、長手方向に延びる丸凸条部１１と該丸凸条部１１の両端部分から全長に亘り一体に耳状の対称配置に延びて突設される各平条片１２、１２により形成され、前記雌係合細長体１０が、前記雄係合細長体９に比し短くとも等長であり、前記丸凸条部１１に弾撥係脱可能となして長手方向に延びる丸凹条部１３と該丸凹条部１３の底両裾部分から全長に亘り一体に耳状の対称配置に延びて突設される各平条片１４、１４により形成され、一方の細長体９又は１０が封止部２３における二層合わせの一側袋層の外面に雌雄係合面を該袋層外面に相対して密接するように袋幅方向に亘らせて接着されてなり、他方の細長体１０又は９が封止部２３に対し袋内方に離隔する位置の固定部２８における二層合わせの他側袋層の外面に雌雄係合面を該袋層外面に反対側に向くように袋幅方向に亘らせて接着されてなり、袋２１における前記両細長体９、１０間の略中間個所の折り返し部２７で折り返しつつ両細長体９、１０を雌雄係合させることによって前記封止部２３を気密封止するように構成したことを特徴とする袋開口部の密封装置である。
【００１３】
また、本発明に係る請求項５に記載の発明は、前記請求項１から請求項４の何れかの項に記載の袋開口部の密封装置に関して、封止部２３の両端部の谷折りされたマチ部分２６、２６間の二層合わせ部における何れか一方の側の袋層の内面に、該二層合わせ部と四層の前記マチ部分２６、２６との厚み差を補うための密封補助シート１８が密着されてなる構成としたことを特徴とする袋開口部の密封装置である。
【００１４】
このような本発明によれば、相互間において全長に亘り弾撓的に雌雄係脱可能に構成した硬質合成樹脂製の雄係合細長体９及び雌係合細長体１０の一対からなる袋密封クリップ２によって、開口２２から所定の留め代２５を余らせた袋内方に位置し二層合わせに平たく閉ざした状態の封止部２３の全幅に対して雌雄係合の下で強力に挟み込ませて袋口を封止するようにしているので、両細長体９、１０の雌雄係合部で強く挟まれた部分の気密性は十分に高くかつ挟圧力は強大であり、その結果、長時間に亘って高気密度を安定に保持できる。
【００１５】
この場合の両細長体９、１０に対して行わせる雌雄係合の操作は現場の作業員の直接の手作業によっても容易に可能であるが、本発明によれば、片方の掌で把持出来る大きさで袋端部受け孔４、袋封止寄り部案内孔６、袋密封クリップ案内孔５及び袋封止寄り部案内溝７がスライド方向Ｓとなる厚みｔ方向に貫通して設けられてなるスライド留め具１を用いて封止部２３を簡単にしかも軽力で素早く封止することができる。即ち、封止用治具としてのスライド留め具１を封止部２３が含まれる袋２１の端部及び袋密封クリップ２に対して前記各孔、溝４、５、６、７を介して一端側から嵌め込んで他端側にスライドさせるだけの単純な摺動操作によって、雄係合細長体９・雌係合細長体１０を一端側から他端側に順次雌雄係合して行くことで前記封止部２３の全幅を一気にかつ確実に気密封止できるのである。
【００１６】
その際、広口の袋２１の開口２２から所定の寸法を取らせた留め代２５を含む端部（開口２２から封止個所に至る気密域外の開放部分）においては、スライド留め具１の摺動操作により両細長体９、１０の雌雄係合が前方移行しつつ順次行われるのに随伴して袋端部受け孔４内に一端側から順次引っ掛かることなく自動的に導入されることとなり、両細長体９、１０による封止部２３の全幅に亘る密封作業は軽快かつ円滑に行うことができる。
【００１７】
ところで、袋密封クリップ２に関して両細長体９、１０のうちの雄係合細長体９を丸棒タイプとしたものでも勿論良いが、これでは雌雄係合の際に袋体が丸棒の回りに沿って反転折り返しの状態となり易く、スライド留め具１の摺動操作に支障を来たす懸念が予想されるところから、本発明に係る請求項２に記載のものでは、雄係合細長体９は丸凸条部１１と各平条片１２、１２とにより形成し、雌係合細長体１０は丸凸条部１１に弾撥係脱可能となした丸凹条部１３と各平条片１４、１４とにより形成したものであって、これにより２枚の袋体を挟んで雌雄係合した際の相対抗した状態の平条片１２、１４が前記反転折り返し状態を起こさせないようにして袋体をスライド留め具１の袋端部受け孔４内にスムースに誘導させることが可能であり、スライド留め具１の摺動操作をより軽快・円滑に行わせ得る。さらに、袋密封クリップ２の雄・雌両係合細長体９、１０を一端部側で揃えてその端部の対向部分相互を局部的に弾撥係合するとともにヒンジ接合した構成としてなり、袋密封クリップ２の封止部２３へのセットに当たって位置決め及び仮セッティングの確実さが図れると共に、スライド留め具１の袋密封クリップ２への嵌め込みとスライド操作を一層容易に行わせ得る。
【００１８】
また、本発明によれば、留め具本体３が対を成す前記雌雄係合細長体９・１０の雌雄係合を解除する係合解除手段３０を備えることにより、袋密封クリップ２を雌雄係合になる封止状態から開放する作業の際に、両細長体９、１０の手作業による引き離しを簡単かつ容易に行うことが出来る。
【００１９】
また、本発明によれば、前記雌雄係合細長体９・１０の何れか一方を封止部２３における２枚中の一方の袋層の外面に、他方を固定部２８における２枚中の他方の袋層の外面にそれぞれ着脱可能に接着して取付けることにより、袋２１と一体化させた構造となして現場での袋の取扱い作業並びに袋開口部の密封作業の簡素化が図れる。また、雌雄係合細長体９・１０がベース側に平条片１２、１２・１４、１４をそれぞれ備えているので、粘着テープ等を介しての袋層への接着が簡単かつ確実に行えるし、雌雄係合細長体９・１０を容易に付け替えることも可能であって、袋のリサイクルに悪影響を与えない点でも優れている。
【発明の効果】
【００２０】
本発明によれば、袋開口部の密封装置がスライド留め具１と袋密封クリップ２からなる袋２１とは別体のそれぞれ独立した治具により構成され、あるいは袋密封クリップ２を着脱可能に袋２１に接着して取付けてなる単純一体化構造により構成されるので、袋のリサイクルを図らせる上で頗る有用であり、また、袋密封クリップ２の雌雄係合作動に基づく密封手段を指先の押圧手作業によって簡易に行えることはもとより、スライド留め具１を用いての摺動操作で軽力・円滑に行い得るため、密封作業の簡易化・効率化が図れる。
【００２１】
更に、スライド留め具１と袋密封クリップ２による密封作業に際しては、袋２１の余った個所である留め代２５をスライド留め具１の袋端部受け孔４に対して支障物とならず円滑かつ自動的に一端から他端に至り導入できるので、スライド留め具１の摺動操作を格別の注意を払う必要なく楽にしかもスムースに行えるし、他方、袋２１に対して皺・損傷などの被害を一切与えることがない。
【発明を実施するための最良の形態】
【００２２】
本発明の好適な実施形態を各種の広口の袋２１の中から一例として挙げられる茶葉保存用袋に用いられる袋開口部の密封装置に基づいて添付図面を参照しつつ以下に説明する。図１は本発明の第１の実施形態に係る袋開口部の密封装置を拡大して示す正面（前面）図、図２及び図３は図１図示の密封装置におけるスライド留め具１の側面図及び底面図、図４は図１図示の密封装置における袋密封クリップ２の端面図、図５は図１に対応する斜視図、図６は本発明の変形実施形態に係るスライド留め具の斜視図、図７はその変形に係るスライド留め具の使用態様を示す斜視図、図８は茶葉保存用袋で実現される袋２１の略示外観斜視図である。
【００２３】
茶葉保存用袋で実現される袋２１は図8に示されるが、全体としてガスバリヤ性を持つ折り畳みが可能で広口を持つ保存袋であって、アルミニウム膜のコーティング処理を施してなる製袋用薄紙（合成樹脂薄シート）を素材として、底部３aと周胴部３bと頂部に開かせた開口２２とを備える縦置き用の袋体に形成され、例えば幅５００mm、奥行３３０mm、高さ４５０mmの大きさで反復使用可能となっている。この袋２１は、一次加工を施した荒茶約２０kgを袋内に収納して、開口２２から所定寸法例えば３０〜５０ｍｍの間に存する留め代２５を余らせた袋体内方に位置して二層合わせに平たく閉ざした状態の封止部２３に対してその全幅に亘って袋密封クリップ２により開閉可能に封止するとともに、その内部に粒状ドライアイスを茶葉とともに封入することにより、内部の空気を二酸化炭素ＣＯ2に強制置換する状態に保持して、倉庫などの保管場所に一時的に保蔵させる。上記保存袋2１には、図8に示されるように開口２２の近部の袋体に逆止弁２４が一体的に設けられている。この場合の逆止弁２４の配設個所としては、所定量の荒茶が収納されかつ封止部２３が気密封止されている状態下において、封止個所の直下で茶葉集積頂部よりも上方の図示する個所が適当とされる。
【００２４】
袋密封クリップ２は図１、４、５を参照して、合成樹脂製の例えば塩化ビニル樹脂製になる細長帯状体の雄係合細長体９及び雌係合細長体１０の一対からなり、相互間において全長に亘り弾撓的に雌雄係脱可能に構成したクリップであって、両細長体９、１０を前記封止部２３における幅代例えば５００mmに比しその左右両外側に若干長の余裕代、例えば１０ｍｍを持つ長さ、即ち５２０mmに相当する細長構造体に形成される。
雄係合細長体９は、長手方向に延びる丸凸条部１１と該丸凸条部１１の両端部分から全長に亘り一体に耳状の対称配置に延びて突設される各平条片１２、１２とにより形成され、一方、雌係合細長体１０は、雄係合細長体９に比し等長か或いは十数ｍｍ程度長い寸法Ｒ（図５参照）であって、前記丸凸条部１１に弾撥係脱可能となして長手方向に延びる丸凹条部１３と該丸凹条部１３の底両裾部分から全長に亘り一体に耳状の対称配置に延びて突設される各平条片１４、１４とにより形成される。
【００２５】
それら雄・雌両細長体９、１０は、丸凸条部１１と丸凹条部１３とを弾撥係脱可能に対向させ、かつ一端部を揃えてその端部の対向部分相互を局部的に弾撥係合するとともに、ピン１５を係合下の丸凸条部１１及び丸凹条部１３に貫挿通する（図４参照）ことによりヒンジ接合してなり、ピン１５を中心とする約４０度の角度の範囲内で接近・離間し得る揺動可能に組み付けられる。尚、詳細には示していないが両細長体９、１０間での円滑な揺動を可能とするためには、例えば図４において丸凸条部１１の端部を斜めに盗んで切り欠くようにすることで当たり部が存しないスムースな揺動操作が行える。
【００２６】
このように構成してなる袋密封クリップ２は、広口の袋２１の二層合わせ（但し、マチ付袋の場合では部分的に四層合わせになる）に平たく閉ざした状態の前記封止部２３を、僅少角度で開かせてなる雄・雌両細長体９、１０によって挟み付けて、その後に行われる全幅に対する気密封止のための作業に備えさせるものである。
【００２７】
一方、スライド留め具１は図１〜３及び図５を参照して、片方の掌で把持出来る大きさ例えば幅；５０ｍｍ程度、高さ；８０ｍｍ程度、厚みｔ；２５ｍｍ程度の大きさで、軽量・硬質の材料例えば硬質ポリエチレン樹脂から形成される立方形状の留め具本体３からなると共に、この留め具本体３に対して、スライド方向Ｓとなる厚みｔ方向に貫通させて袋端部受け孔４、袋封止寄り部案内孔６、袋密封クリップ案内孔５及び袋封止寄り部案内溝７が本体縦中心線の略一線に揃いかつ連通して穿設されてなり、全体として逆Ｕ字状体に類似する構造をなしている。このスライド留め具１は、封止部２３を含む袋２１の端部及び前記袋密封クリップ２に対して前記各孔、溝４、５、６、７を介して一端側から嵌め込んで他端側にスライドさせて雄係合細長体９・雌係合細長体１０を一端側から他端側に至って順次雌雄係合させて行き、前記封止部２３を全幅に亘って気密封止させるためとして用いるものである。
【００２８】
上記スライド留め具１においては、前記袋端部受け孔４が、袋２１の丸まらせた端部の留め代２５を受け容れるに十分な大きさ例えば径；３０ｍｍの円形孔又は多角形孔で留め具本体３の央部に設けられ、前記袋密封クリップ案内孔５が、前記封止部２３の二層の袋体を挟んで弾撥係合してなる状態の袋密封クリップ２を円滑に摺接しつつ介挿し得るに十分な大きさの方形孔で留め具本体３の下端面部と前記袋端部受け孔４の間に設けられ、前記袋封止寄り部案内孔６が、前記封止部２３寄りの二層袋体を案内するに十分な幅を有して袋端部受け孔４・袋密封クリップ案内孔５間に亘り設けられ、前記袋封止寄り部案内溝７が、袋封止寄り部案内孔６と略等幅を有して留め具本体３の下端面部に開口し、かつ該下端面部と袋密封クリップ案内孔５の間に亘り設けられている構成となっている。
【００２９】
なお、上記スライド留め具１は、袋密封クリップ案内孔５に介挿した袋密封クリップ２を弾撥係合させる際に受ける反撥力に十分対抗し得て、前記袋密封クリップ案内孔５及び前記袋封止寄り部案内溝７に拡がる方向への変形を齎すことのない厚み寸法を有する構成とすることが、袋密封クリップ２における両細長体９、１０の雌雄係合を確実にする点において望ましいものであり、前述した通り留め具本体３を硬質ポリエチレン樹脂から形成した例の場合には、２５ｍｍ以上の厚みｔとすることが望ましい。また、前記袋密封クリップ案内孔５周壁におけるスライド方向Ｓを基準に前面と後面の角部のうちの少なくとも前面角部で、各平条片１２、１２、１４、１４に対面する角部を、図１、図３に示されるようにテーパ８に形成してなる構成とすることが、雌雄係合させる両細長体９、１０を袋密封クリップ案内孔５内にスムースに嵌めこませる上で望ましいものである。
【００３０】
以上述べる本発明に係る密封装置を用いて袋２１の開口部を塞ぐ密封手段の手順を次に説明する。
袋２１の上部における開口２２から留め代２５を余らせた封止部２３の二枚合わせの袋体に対して、袋密封クリップ２の僅少角度で開かせてなる雄・雌両細長体９、１０により挟み付けて仮置きし、スライド留め具１を袋密封クリップ２のヒンジ接合が成されている一端側から各孔、溝４、５、６、７を利用して嵌め込み、このスライド留め具１を他端側に向けてスライド操作させる。
【００３１】
このスライド操作によって、雄係合細長体９・雌係合細長体１０を一端側から他端側に順次雌雄係合して行くことで前記封止部２３の全幅を一気にかつ確実に気密封止することができる。その際、広口の袋２１の開口２２から所定の寸法を取らせた留め代２５を含む端部においては、スライド留め具１の摺動操作により両細長体９、１０の雌雄係合が前方移行しつつ順次行われるのに随伴して袋端部受け孔４内に一端側から順次引っ掛かることなく自動的に導入されることとなり、両細長体９、１０による封止部２３の全幅に亘る密封作業は軽快かつ円滑に行うことができる。
【００３２】
ところで、本発明の上記実施形態の場合は、雄係合細長体９を丸凸条部１１と各平条片１２、１２とにより形成し、雌係合細長体１０を丸凸条部１１に弾撥係脱可能となした丸凹条部１３と各平条片１４、１４とにより形成したものであるから、２層の袋体を挟んで雌雄係合した際の相対抗した状態の平条片１２、１４が留め代２５を含む端部での反転折り返し状態を起こさせないようにして当該個所の袋体をスライド留め具１の袋端部受け孔４内にスムースに誘導させることが可能であり、その結果、スライド留め具１の摺動操作をより軽快・円滑に行わせ得る。
【００３３】
このようにして密封処理された袋２１から袋密封クリップ２を取り外す際には、作業員の手操作によってヒンジ接合されていない他端側から雌雄係合を外すことで容易に行えるが、本発明の実施形態の場合は、図５に示すように袋密封クリップ２の前記雌係合細長体１０を、対を成す前記雄係合細長体９に比し十数ミリ程度長い寸法Ｒに形成することにより、この長い部分を一方の手の指先で把持することによって両細長体９、１０の手作業による引き離しを簡単かつ容易に行うことが出来る。
【００３４】
あるいは、図６及び図７に示すように、留め具本体３が対を成す前記雌雄係合細長体９・１０の雌雄係合を解除する係合解除手段３０を備えることにより、両細長体９、１０の手作業による引き離しを簡単かつ容易に行うことが出来る。
即ち、この実施形態では、留め具本体３が対を成す雌・雄係合細長体９・１０の雌雄係合を解除する係合解除手段３０を備える。この係合解除手段３０は前記雌係合細長体１０の丸凹条部１３の外径よりも若干大きい離間寸法Ｕに設定された一対の角状突起３１・３１から構成される。この角状突起３１・３１は、前記雌・雄係合細長体９・１０の一端より対向する前記平条片１２・１４間に挿入してＷ方向へ留め具本体３をこじることにより、前記雄・雌係合細長体９・１０の一端部の弾撥係合を解除するものである。
【００３５】
上記角状突起３１・３１は、図６及び図７に示すように、留め具本体３の頂部に突設され、雌雄係合細長体９・１０の対向する平条片１２・１４間に挿入できるよう、その一辺の寸法Ｖが設定される。なお、上記実施形態では角状突起３１・３１を留め具本体３の頂部に突設したものについて例示したが、留め具本体３の側面に突設してもよいし、その端面形状も四角形には限らず、円形等多様な変形が考えられる。
【００３６】
次いで図９は、本発明の第２の実施形態に係る袋開口部の密封装置が装着された袋２１の部分示斜視図であり、図１０は、図９図示の密封装置における密封手順の説明図であって、（イ）は雌雄係合前の状態を、（ロ）は雌雄係合後の状態をそれぞれ示している。本第２実施形態に関して、前述の第１の実施形態に係る袋開口部の密封装置に類似し対応する各構成部材については同一の参照符号を付して、ここでは重複を避けて詳細な説明を省略する。
【００３７】
本実施形態については、相互間において全長に亘り弾撓的に雌雄係脱可能に構成した雄係合細長体９及び雌係合細長体１０の一対からなる袋密封クリップ２を構成要素部材とするものであって、一方の細長体９又は１０（本実施形態では雄係合細長体９である。）が封止部２３における二層合わせの一側袋層の外面に対して、雌雄係合面としての丸凸条部１１外面を該袋層外面に相対して密接するように、袋幅方向に亘り該外面及び平条片１２、１２表面を沿わせた状態で接着されてなり、また、他方の細長体１０又は９（本実施形態では雌係合細長体１０である。）が封止部２３に対し袋内方に離隔する位置の固定部２８における二層合わせの他側袋層の外面に対して、雌雄係合面としての丸凹条部１３内面を該袋層外面に反対側に向くように、袋幅方向に亘り該背面部及び平条片１４、１４裏面を沿わせた状態で接着されてなる構造としている。
【００３８】
このように袋密封クリップ２の両細長体９、１０を袋２１に一体に取付けてなる本実施形態において（図９及び図１０（イ）参照）、該袋２１の開口部を塞ぐ密封を行うには、袋２１における前記両細長体９、１０間の略中間個所の折り返し部２７で二層袋の部分を折り返すことにより、位置合わせさせてなる両細長体９、１０を全長に亘って雌雄係合させることによって（図１０（ロ）参照）、前記封止部２３を全幅に亘り気密封止することが可能であり、従って、袋開口２２の近傍部の折り返し操作と両細長体９、１０の雌雄係合操作との簡単な手段だけで密封作業を確実かつ容易に行える。なお、両細長体９、１０は、取り付け個所を反対にしても勿論差し支えない。
【００３９】
この場合において、両細長体９、１０を袋２１の表面の所定個所に接着させるには、封止部２３の一方の細長体９又は１０を、片面接着テープ１６を介して主に各平条片１２、１２又は１４、１４と袋層外面との間で着脱可能に接着させ、固定部２８の他方の細長体１０又は９を、両面接着テープ１７を介して主に各平条片１４、１４又は１２、１２と袋層外面との間で着脱可能に接着させるようにすれば、取り付けが簡単・確実に行えるし、又、取り外しの場合も袋層に損傷を与えることなく容易に剥がせることができる。
【００４０】
しかして本実施形態においては、図９に示されるように封止部２３に関連させて密封補助シート１８を袋２１に密着させた構造を備えている。この密封補助シート１８は、封止部２３の両端部の谷折りされたマチ部分２６、２６間の二層合わせ部における何れか一方の側の袋層の内面に密着させたものであり、該二層合わせ部と四層になる前記マチ部分２６、２６との厚み差を補うためとして設けられるものである。
【００４１】
構造の一例としては、厚み差二層分に相当する約１ｍｍ厚で、左右の幅が両端のマチ部分２６・２６間の間隔より若干長く、上下の長さが両細長体９、１０の幅よりも少し長い短冊片状の弾褥性を有する、例えば発泡ポリエチレンシートを使用して、幅方向に延びる中心線が封止部２３の同中心線に揃うようにして一方の側の袋層の内面に当て合わせ、その上辺部１８Ａと下辺部１８Ｂの２個所を熱溶着して袋層に密着させて密封補助シート１８が形成される。このように密封補助シート１８を設けることによって、封止部２３を袋密着クリップ２で封止した際に厚み差に基づく隙間が塞がれて気密性が一層向上する。なお、この密封補助シート１８の左右両端部分は、マチ部分２６・２６間の間隔より若干長く、そのマチ部分２６と重なるが、約１ｍｍ厚の発泡ポリエチレンシートを用いるので、その段差を吸収しつつ、十分に密封機能を維持する。
【００４２】
以上説明になる密封補助シート１８は本実施形態の場合においてのみ限定されるものでなく、本発明に係る茶葉袋などの折畳み可能で広口の袋の全てに適用し得るものであることは言うまでもない。また、密封補助シート１８の材質、密着の態様についても実施形態の例に限らなく他の適宜の変形になるものであってもよい。
【図面の簡単な説明】
【００４３】
【図１】本発明の第１の実施形態に係る袋開口部の密封装置を拡大示する正面図。
【図２】図１図示の密封装置におけるスライド留め具１の側面図。
【図３】図１図示の密封装置におけるスライド留め具１の底面図。
【図４】図１図示の密封装置における袋密封クリップ２の端面図。
【図５】図５は図１に対応する斜視図。
【図６】本発明の変形実施形態に係るスライド留め具の斜視図。
【図７】上記変形に係るスライド留め具の使用態様を示す斜視図。
【図８】茶保存用袋で実現される袋２１の略示外観斜視図。
【図９】本発明の第２の実施形態に係る袋開口部の密封装置が装着された袋２１の部分示斜視図。
【図１０】図９図示の密封装置における密封手順の説明図。
【符号の説明】
【００４４】
１…スライド留め具、２…袋密封クリップ、３…留め具本体、４…袋端部受け孔、５…袋密封クリップ案内孔、６…袋封止寄り部案内孔、７…袋封止寄り部案内溝、８…テーパ、９…雄係合細長体、１０…雌係合細長体、１１…丸凸条部、１２…平条片、１３…丸凹条部、１４…平条片、１５…ピン、１６…片面粘着テープ、１７…両面粘着テープ、１８…密封補助シート、２１…袋、２２…開口、２３…封止部、２４…逆止弁、２５…留め代、２６…マチ部分、２７…折り返し部、２８…固定部、３０…係合解除手段、３１…角状突起、Ｒ…雌係合細長体の長い寸法、Ｓ…スライド方向、ｔ…厚み、Ｕ…離間寸法。
【図１】
2005185817.tif 000003
【図２】
2005185817.tif 000004
【図３】
2005185817.tif 000005
【図４】
2005185817.tif 000006
【図５】
2005185817.tif 000007
【図６】
2005185817.tif 000008
【図７】
2005185817.tif 000009
【図８】
2005185817.tif 000010
【図９】
2005185817.tif 000011
【図１０】
2005185817.tif 000012